(57)【特許請求の範囲】
【請求項１】
植物に沿って立設される支柱と、該支柱に取付けられて前記植物を支持する植物支持具とを備え、前記支柱にはその長手方向に溝部が延設され、前記植物支持具は前記溝部内を移動可能に取付けられているとともに、前記溝部の所望の位置で固定することができるようになされており、前記植物支持具は、前記溝部内に移動可能に配置されたスライド部と前記溝部に外方から挿入されることにより固定される固定部と前記植物を支持する支持部とを備えていることを特徴とする植物支持装置。
【請求項２】
前記溝部に外方から挿入されることにより固定される固定部は、その先端が前記溝部の開口幅より幅狭に形成されているとともに、その基端に向かうに従い徐々に前記溝部の開口幅より幅広に形成されていることを特徴とする請求項１に記載の植物支持装置。
【請求項３】
前記支柱は、外管とそれに挿入された内管とを備えるとともに、前記外管と内管とが伸縮自在に形成されていることを特徴とする請求項１又は２のいずれか１項に記載の植物支持装置。
【請求項４】
前記外管と内管のいずれにも、その長手方向に前記溝部が延設されるとともに、前記植物支持具が前記溝部内を移動可能に取付けられていることを特徴とする請求項３に記載の植物支持装置。
【発明の詳細な説明】
【技術分野】
【０００１】
本発明は、野菜や花など植物の栽培と言った農園芸用に使用され、植物の茎などを支持して植物が倒れないようにする植物支持装置に関するものである。
【背景技術】
【０００２】
農園芸用に使用され、植物の茎などを支持して植物が倒れないようにする植物支持装置については、従来より種々の提案がなされており、例えば、地面に刺し立てる支柱と、この支柱の上端部から前向きに設けられて苗の茎の収容部を形成する一対の水平腕と、上記一対の水平腕の各前端部から前記収容部の内部に向かって折返し状に設けられ、上記収容部の前端を弾性的にせばめる弾性片とを支柱と一体に備えてなる自立支持具である植物支持装置が開示されている。（特許文献１の請求項１参照）。
【先行技術文献】
【特許文献】
【０００３】
【特許文献１】特開２０００−３２８５１号公報
【発明の概要】
【発明が解決しようとする課題】
【０００４】
しかしながら、上記従来の植物支持装置においては、支柱の上端部に茎の収容部が固定されているので、支持する植物の成長に伴い、長さの違う支柱に適宜取り替えて、茎の収容部を上方へ移動し、植物を支持するようにする必要があった。
【０００５】
本発明は、支持する植物の成長に伴い、支柱を取り換える必要がなく、植物を所定の位置で支持することができる植物支持装置を提供せんとするものである。
【課題を解決するための手段】
【０００６】
上記目的を達成するために、本発明は次のような構成としている。
すなわち本発明に係る植物支持装置は、植物に沿って立設される支柱と、該支柱に取付けられて前記植物を支持する植物支持具とを備え、前記支柱にはその長手方向に溝部が延設され、前記植物支持具は前記溝部内を移動可能に取付けられているとともに、前記溝部の所望の位置で固定することができるようになされていることを特徴とするものである。
【０００７】
また本発明に係る植物支持装置は、前記植物支持具を、前記溝部内に移動可能に配置されたスライド部と前記溝部に外方から挿入されることにより固定される固定部と前記植物を支持する支持部とを備えていることを特徴とするものである。
【０００８】
また本発明に係る植物支持装置において、前記溝部に外方から挿入されることにより固定される固定部を、その先端が前記溝部の開口幅より幅狭に形成されているとともに、その基端に向かうに従い徐々に前記溝部の開口幅より幅広に形成するようにしてもよい。
【０００９】
また本発明に係る植物支持装置において、前記支柱を、外管とそれに挿入された内管とを備えるとともに、前記外管と内管とが伸縮自在に形成するようにしてもよい。
【００１０】
また本発明に係る植物支持装置において、前記外管と内管のいずれにも、その長手方向に前記溝部が延設されるとともに、前記植物支持具が前記溝部内を移動可能に取付けられるようにしてもよい。
【発明の効果】
【００１１】
本発明に係る植物支持装置によれば、植物に沿って立設される支柱と、該支柱に取付けられて前記植物を支持する植物支持具とを備え、前記支柱にはその長手方向に溝部が延設され、前記植物支持具は前記溝部内を移動可能に取付けられているとともに、前記溝部の所望の位置で固定することができるようになされているので、前記支柱に設けられた溝部内を前記植物支持具を移動させ、前記溝部の所望の位置で固定することにより、支持する植物の成長に伴い、支柱を取り換えることなく植物を所定の位置で支持することができる。
【００１２】
また本発明に係る植物支持装置によれば、前記植物支持具が、前記溝部内に移動可能に配置されたスライド部と前記溝部に外方から挿入されることにより固定される固定部と前記植物を支持する支持部とを備えるようにしているので、前記スライド部を前記溝部内で移動させ、所望の位置で前記固定部を前記溝部に挿入し、前記支持部によって植物を支持することができる。
【００１３】
また本発明に係る植物支持装置によれば、前記溝部に外方から挿入されることにより固定される固定部は、その先端が前記溝部の開口幅より幅狭に形成されているとともに、その基端に向かうに従い徐々に前記溝部の開口幅より幅広に形成しているので、前記固定部の先端から前記溝部の開口に固定部を挿入していくと、前記溝部の開口より幅広に形成された部分で前記固定部が前記溝部に挟まれるようになり、前記固定部を先端から前記溝部の開口に挿入していくだけで、前記植物支持具を支柱に固定することができる。
【００１４】
また本発明に係る植物支持装置によれば、前記支柱が、外管とそれに挿入された内管とを備えるとともに、前記外管と内管とが伸縮自在に形成されているので、植物の背丈が低い時には前記外管と内管を縮めた状態で使用でき、植物が成長するに従い、前記外管と内管とを伸ばして使用できるため、植物の成長に伴い植物支持装置を取り換える必要がない。
【００１５】
また本発明に係る植物支持装置によれば、前記外管と内管のいずれにも、その長手方向に前記溝部が延設されるとともに、前記植物支持具が前記溝部内を移動可能に取付けられているので、植物の成長に伴い前記支柱の長さを伸ばすことができるのに加え、前記植物支持具を前記外管と内管とに設けられた溝部内を移動させ、所望の位置で植物を支持することができる。
【図面の簡単な説明】
【００１６】
【図１】本発明に係る植物支持装置の一つの実施形態を示す、（ａ）は支柱を伸ばした状態を示す正面図、（ｂ）は（ａ）の側面図、（ｃ）は（ａ）の背面図、（ｄ）は支柱を縮めた状態を示す正面図である。
【図２】図１に示す実施形態の植物支持装置を部分拡大した斜視図である。
【図３】図２に示す、（ａ）はＡ−Ａ矢視の断面図、（ｂ）はＢ−Ｂ矢視の断面図である。
【図４】（ａ）は図３（ａ）を下側から見た断面図、（ｂ）は図３（ｂ）を下側から見た断面図である。
【図５】本発明に係る植物支持装置の植物支持具を移動させる方法を説明する説明図であって、（ａ）は植物支持具が支柱（外管）に固定された状態を示す縦断面図、（ｂ）は植物支持具が移動可能な状態を示す縦断面図である。
【図６】（ａ）は本発明に係る植物支持装置の植物支持具が支柱（外管）に固定された状態を示す拡大正面図、（ｂ）は本発明に係る植物支持装置の植物支持具が移動可能な状態を示す拡大正面図である。
【図７】本発明に係る植物支持装置の植物支持具を示す、（ａ）は正面図、（ｂ）は左側面図、（ｃ）は背面図、（ｄ）は平面図、（ｅ）は底面図である。
【図８】本発明に係る植物支持装置により植物を支持した状態を示す説明図である。
【発明を実施するための形態】
【００１７】
次に、本発明を実施するための形態について図面を参照し、具体的に説明する。
Ｐは本発明に係る植物支持装置であって、植物Ｓに沿って立設される支柱１と、該支柱１に取付けられて前記植物Ｓを支持する植物支持具２とを備えている。
【００１８】
前記支柱１は、径大に形成された外管３に、それより径小に形成された内管４が挿入され、前記外管３と内管４とが伸縮自在に形成されており、前記支柱１の長さを調整できるようにしている。そして、前記支柱１の外管３と内管４にはいずれも、その長手方向（図面では上下方向）に溝部５が延設され、前記植物支持具２が前記溝部５内を移動可能に取付けられている。
【００１９】
前記外管３と内管４はアルミニウム合金を押出成型して形成された、いわゆるアルミ合金押出形材で形成されている。図１，３，４に示すように、前記内管４は前記外管３の内側に挿入されるので、その水平断面がほぼ円形の外形となされ、その内側に凹む様に前記溝部５が形成されるようになされている。また前記外管３もその水平断面がほぼ円形の外形となされているが、前記外管３の前記溝部５は前記外管３の外側に突設されて形成されている。
【００２０】
そして、前記外管３と内管４とに形成された溝部５はいずれも、その開口幅Ｈより奥が幅広に形成された、いわゆる蟻溝形状となされなされている。つまり、前記溝部５を形成する左右の縦壁５１間の距離は、前記溝部５の開口縁５２間の距離である開口幅Ｈより大きく形成されている。
【００２１】
また前記支柱１の外管３の下端には下方に向けて尖って形成された下端キャップＣ１が挿着され、前記植物Ｓを植えている土に前記植物支持装置Ｐを立設しやすいようにしている。また前記外管３の上端には中間キャップＣ２が被着されている。また前記内管４の上端にはその上部に十字状に切り目が形成された上端キャップＣ３が挿着され、間隔をあけて複数の前記植物支持装置Ｐを立設し、紐などを前記植物支持装置Ｐ間に架け渡す際、その紐を前記切り目に挿入し固定することができるようになされている。なお、前記下端キャップＣ１には水抜き穴が形成され、仮に前記支柱１に雨水などが浸入した場合にも、前記水抜き穴から雨水が抜けるようになされている。また、前記下端キャップＣ１、中間キャップＣ２、上端キャップＣ３はポリエチレンなどの熱可塑性合成樹脂で形成されている。
【００２２】
なお図示はしていないが、前記内管４の下端部には、前記外管３と内管４とを固定するための固定部材が取付けられている。この固定部材の前記外管３の内側に突設された軸部の一部には円周方向に暫次径寸法が変わる偏芯軸が形成されているとともに、この偏芯軸の外周には円形状の一部を欠いてその一端が厚肉寸法となされた厚肉部が形成されたストッパーリングが周回されており、前記内管４の下端部に固定されて前記内管４の回動に伴って起こる偏芯軸の回動にしたがって、その偏芯軸の外周と前記外管３の内壁との間に介在するストッパーリングの厚肉部がそれら偏芯軸の外周と前記外管３の内壁との間を押圧して前記外管３と内管４とを固定するようになされている。この様な構造にすることにより、前記内管４を回動するだけで、前記外管３と内管４とを簡単に固定することができる。
【００２３】
図５〜７に示すように、前記植物支持具２は前記溝部５内に移動可能に配置されたスライド部２１と前記溝部５に外方から挿入されることにより固定される固定部２２と前記植物Ｓを支持する支持部２３とを備えている。詳細には、前記スライド部２１は、前記溝部５の縦壁５１間の距離よりやや短く、前記溝部５の開口縁５２間の距離である前記溝部５の開口幅Ｈより長い棒状体で形成されている。したがって、前記スライド部２１は前記溝部５内を移動可能となる。そしてその左側面視において、前記スライド部２１の中央から倒れたＵ字状の連結部２４が設けられ、前記スライド部２１と前記固定部２２とが連結されている。また、前記植物支持具２はナイロンなどの熱可塑性合成樹脂で形成されている。
【００２４】
また前記固定部２２は、その先端２２１が前記溝部５の開口幅Ｈより幅狭に形成されているとともに、その基端２２２に向かうに従い徐々に前記溝部５の開口幅Ｈより幅広に形成されている。したがって、前記固定部２２をその先端２２１側から前記溝部５の外方からその開口に挿入していくと、前記固定部２２の基端２２２に向かうに従い前記溝部５の開口幅Ｈより幅広に形成された部分が、前記溝部５の開口縁５２間に挟まれ、それによって前記植物支持具２が前記支柱１の溝部５に固定される。またこれと逆に、図５（ａ），６（ａ）に示すように、前記スライド部２１を回動軸として前記植物支持具２を上方である矢印α方向に回動させていくと、前記固定部２２の前記溝部５の開口幅Ｈより幅広に形成された部分が前記溝部５の開口縁５２間から離れ、前記植物支持具２の固定が外れた状態となる。この状態において、図５（ｂ），６（ｂ）に示すように、前記植物支持具２を前記溝部５内を上下方向である矢印β方向にスライドさせて、所望の位置において、前記スライド部２１を回動軸として前記固定部２２をその先端２２１側から前記溝部５の外方からその開口に挿入していくと、前記植物支持具２を前記支柱１の溝部５に固定することができる。
【００２５】
そして図７，８に示すように、前記植物支持具２は前記連結部２４から前方に向けて左右２個の前記支持部２３が突設され、該支持部２３に前記植物Ｓが係止されて、前記植物Ｓが前記植物支持装置Ｐに支持され、前記植物Ｓが倒れるのを防止している。詳細には平面視において、前記支持部２３は内側に湾曲した円弧状の支持部本体２３１と、該支持部本体２３１の先端から外側に湾曲した円弧状の係合部２３２とを備えてなり、上述のように、前記植物支持具２を前記溝部５内の所望の位置に移動させ固定させた後、前記植物Ｓを前記支持部２３の左右の前記支持部本体２３１で抱え込み、前記係合部２３２をより合わせて前記植物Ｓが前記植物支持装置Ｐにより支持される。
【００２６】
本実施形態に示す植物支持装置Ｐにおいて、前記支柱１を最長に伸ばした状態での長さは約２１００ｍｍであり、前記外管３と内管４の溝部５には、前記植物支持具２がそれぞれ３個ずつ取付けられているが、特に前記支柱１の長さや植物支持具２の個数に限定されるものではなく、適宜設計し選択すればよい。
【符号の説明】
【００２７】
１  支柱
２  植物支持具
２１  スライド部
２２  固定部
２２１  先端
２２２  基端
２３  支持部
２３１  支持部本体
２３２  係合部
２４  連結部
３  外管
４  内管
５  溝部
５１  縦壁
５２  開口縁
Ｐ  植物支持装置
Ｃ１  下端キャップ
Ｃ２  中間キャップ
Ｃ３  上端キャップ
Ｈ  開口幅
【図１】
0006599741.tif 000002
【図２】
0006599741.tif 000003
【図３】
0006599741.tif 000004
【図４】
0006599741.tif 000005
【図５】
0006599741.tif 000006
【図６】
0006599741.tif 000007
【図７】
0006599741.tif 000008
【図８】
0006599741.tif 000009